(57)【要約】  【課題】  複数の映像の送信や受信が必要とされるネットワークシステムにおいて、装置数を少なくし、トータルコストを削減することが可能なネットワーク送受信装置を提供する。  【解決手段】  ネットワークインターフェース部５を内蔵したネットワーク送受信装置において、アナログ入力信号を圧縮しネットワークインターフェース部５に送る画像圧縮部３と、ネットワークインターフェース部５から受け取った圧縮データを伸張しアナログ信号に変換する画像伸張部６の両方を内蔵することを特徴とする。【選択図】  図１
2005101691.tif 000002
【特許請求の範囲】
【請求項１】
ネットワークインターフェース部を内蔵したネットワーク送受信装置において、アナログ入力信号を圧縮し前記ネットワークインターフェース部に送る画像圧縮部と、前記ネットワークインターフェース部から受け取った圧縮データを伸張しアナログ信号に変換する画像伸張部の両方を内蔵することを特徴とするネットワーク送受信装置。
【請求項２】
請求項１記載のネットワーク送受信装置を同じネットワークに第１組の複数台及び第２組の複数台接続してなり、前記第２組の複数台のうちの一つのネットワーク送受信装置で、前記ネットワークインターフェース部から受け取った前記第１組の複数台のネットワーク送受信装置からの圧縮データを前記画像伸張部にて伸張し、それらの伸張データを多画面用に展開し、その多画面用データを前記画像圧縮部にて圧縮して、前記ネットワークインターフェース部から前記同じネットワークに送信することを特徴とするネットワークシステム。
【発明の詳細な説明】
【技術分野】
【０００１】
本発明は、ネットワークを使って映像の送受信を行うネットワーク送受信装置及びそれを使ったネットワークシステムに関するものである。
【背景技術】
【０００２】
従来、テレビ会議システムのような映像送受信システムを構築する場合、それぞれの場所において、カメラの映像を圧縮してネットワークに送信する装置と、圧縮されたデータ受信し伸張する装置の両方を設置する（文献公知発明に係るものではない）。
【０００３】
また、例えば４台のカメラの映像を４台の受信装置で４画面表示しようとした場合、１６個分の映像データがネットワークの中を通ることになる。
【発明の開示】
【発明が解決しようとする課題】
【０００４】
しかしながら、映像を圧縮してネットワークに送信する装置と、圧縮されたデータ受信し伸張する装置の両方を設置することは、装置の台数、ネットワークとのコネクタ数、必要となるＩＰアドレスが多くなり、システムとしては高価なものとなる。
【０００５】
また、例えば４台のカメラの映像を４台の受信装置で４画面表示しようとした場合、１６個分の映像データがネットワークの中を通ることとなるため、ネットワークの負荷は大きくなっている。
【０００６】
本発明の第１の課題は、複数の映像の送信や受信が必要とされるネットワークシステムにおいて、装置数を少なくし、トータルコストを削減することが可能なネットワーク送受信装置を提供することにある。
【０００７】
本発明の第２の課題は、複数の映像データの送受信が行われるネットワークシステムにおいて、ネットワークを流れる映像データを少なくし、ネットワークの負荷を小さくするネットワークシステムを提供することにある。
【課題を解決するための手段】
【０００８】
上記第１の課題を解決するために、本発明による請求項１記載の発明は、ネットワークインターフェース部を内蔵したネットワーク送受信装置において、アナログ入力信号を圧縮し前記ネットワークインターフェース部に送る画像圧縮部と、前記ネットワークインターフェース部から受け取った圧縮データを伸張しアナログ信号に変換する画像伸張部の両方を内蔵することを特徴とするネットワーク送受信装置である。
【０００９】
また、上記第２の課題を解決するために、本発明による請求項２記載の発明は、請求項１記載のネットワーク送受信装置を同じネットワークに第１組の複数台及び第２組の複数台接続してなり、前記第２組の複数台のうちの一つのネットワーク送受信装置で、前記ネットワークインターフェース部から受け取った前記第１組の複数台のネットワーク送受信装置からの圧縮データを前記画像伸張部にて伸張し、それらの伸張データを多画面用に展開し、その多画面用データを前記画像圧縮部にて圧縮して、前記ネットワークインターフェース部から前記同じネットワークに送信することを特徴とするネットワークシステムである。
【発明の効果】
【００１０】
本発明によれば、複数の映像の送信や受信が必要とされるネットワークシステムにおいて、装置数を少なくし、トータルコストを削減することが可能なネットワーク送受信装置を得る効果を奏する。また、本発明によれば、複数の映像データの送受信が行われるネットワークシステムにおいて、ネットワークを流れる映像データを少なくし、ネットワークの負荷を小さくするネットワークシステムを得る効果を奏する。
【発明を実施するための最良の形態】
【００１１】
本発明に係る実施の形態について、図１及び図２を使って説明する。
【００１２】
図１は本発明に係る実施の形態のネットワーク送受信装置の構成図である。図１に示すネットワーク送受信装置は、アナログ入力信号をデジタルデータに変換するＡ／Ｄ変換部１と、変換されたデジタルデータを格納するメモリ部２と、メモリ部２のデジタルデータを圧縮する画像圧縮部３と、圧縮データを格納するメモリ部４と、メモリ部４の圧縮データをネットワークへ送信し、且つネットワークから受け取った圧縮データをメモリ部４へ格納するネットワークインターフェース部５と、メモリ部４の圧縮データを伸張する画像伸張部６と、伸張されたデジタルデータを格納するメモリ部７と、メモリ部７のデジタルデータをアナログ映像信号に変換するＤ／Ａ変換部８を有する。
【００１３】
図２は本発明に係る実施の形態のネットワーク送受信装置を使用したネットワークシステムの構成図である。図２において、ネットワークシステムは、ネットワーク３３に接続されたネットワーク送受信装置２５〜３２からなる。
【００１４】
ここで、ネットワーク送受信装置２５にはカメラ９とモニタ１７を接続し、ネットワーク送受信装置２６にはカメラ１０とモニタ１８を接続し、ネットワーク送受信装置２７にはカメラ１１とモニタ１９を接続し、ネットワーク送受信装置２８にはカメラ１２とモニタ２０を接続してなる。
【００１５】
また、ネットワーク送受信装置２９にはカメラ１３とモニタ２１を接続し、ネットワーク送受信装置３０にはカメラ１４とモニタ２２を接続し、ネットワーク送受信装置３１にはカメラ１５とモニタ２３を接続し、ネットワーク送受信装置３２にはカメラ１６とモニタ２４を接続してなる。
【００１６】
例えば、ネットワーク送受信装置２５とネットワーク送受信装置２９で映像の送受信を行う場合、カメラ９の映像入力をネットワーク送受信装置２５のＡ／Ｄ変換部１、メモリ部２、画像圧縮部３、メモリ部４、ネットワークインターフェース部５を介して、ネットワーク３３に送信する。
【００１７】
ネットワーク送受信装置２９はネットワークインターフェース部５で圧縮データを受信し、メモリ部４、画像伸張部６、メモリ部７、Ｄ／Ａ変換部８を介して、モニタ２１に映像信号を出力する。
【００１８】
また、カメラ１３の映像入力をネットワーク送受信装置２９のＡ／Ｄ変換部１、メモリ部２、画像圧縮部３、メモリ部４、ネットワークインターフェース部５を介して、ネットワーク３３に送信する。
【００１９】
ネットワーク送受信装置２５はネットワークインターフェース部５で圧縮データを受信し、メモリ部４、画像伸張部６、メモリ部７、Ｄ／Ａ変換部８を介して、モニタ１７に映像信号を出力する。
【００２０】
このような構成にすることで、２台のネットワーク送受信装置でテレビ会議が可能となる。それぞれのネットワーク送受信装置にＩＰアドレスを割り当てることで、見たい場所の映像に切り換えることも可能である。
【００２１】
また、カメラ９の映像入力をネットワーク送受信装置２５のＡ／Ｄ変換部１、メモリ部２、画像圧縮部３を介して、メモリ部４に格納し、格納された圧縮データを画像伸張部６、メモリ部７、Ｄ／Ａ変換部８を介して、モニタ１７に映像信号を出力することも可能である。圧縮されたデータであるため、少ないメモリ容量で、長時間の記録も可能となる。
【００２２】
次に、カメラ９〜１２の映像をモニタ２１〜２４で４画面分割表示する場合について説明する。ネットワーク送受信装置２５〜２８はそれぞれ映像信号を圧縮してネットワーク３３に圧縮データを送信する。
【００２３】
ネットワーク送受信装置２９のネットワークインターフェース部５はそれぞれの圧縮データを受信し、メモリ部４、画像伸張部６を介して、４画面分割表示用にメモリ部７に展開する。４画面分割用に展開されたデジタルデータをＤ／Ａ変換部８を介してモニタ２１に出力するとともに、４画面分割用に展開されたデジタルデータを画像圧縮部３で圧縮し、メモリ部４、ネットワークインターフェース部５を介してネットワーク３３に送信する。
【００２４】
ネットワーク送受信装置３０〜３２は、ネットワーク送受信装置２９の送信データを受信し、モニタ２２〜２４でそれぞれ４画面分割表示を行う。
【００２５】
ネットワーク送受信装置２９〜３２のそれぞれ４種類の映像を受信しようとした場合は、１６個の映像圧縮データがネットワーク上を流れることになるが、上記のようにネットワーク送受信装置２９で一度４画面分割用に展開し、４画面分割用に展開した圧縮データを送信することで、ネットワーク上を流れる映像圧縮データは７個に減らすことができる。
【００２６】
また、上記ネットワーク送受信装置をカメラに内蔵したネットワークカメラとすれば、さらなる省スペース化が実現できる。
【００２７】
さらに、上記ネットワーク送受信装置をカメラに内蔵したネットワークカメラを、複数台同じネットワークに接続し、そのカメラ自身が撮像した映像と、ネットワーク経由で伝送されてくる他のカメラの映像を、切り換えて表示したり、画面分割して表示したりすることもできる。
【００２８】
以上、本実施の形態によれば、ネットワーク送受信装置に圧縮部と伸張部の両方を内蔵することで、アナログ入力信号を圧縮しネットワークに送信しながら、受信した圧縮データを伸張しアナログ信号に変換することができるので、複数の映像の送信や受信が必要とされるネットワークシステムにおいて、装置数を少なくし、トータルコストを削減することが可能なネットワーク送受信装置を得る効果を奏する。
【００２９】
また、ネットワーク送受信装置を使って、ネットワーク経由で伝送されてくる複数の映像の圧縮データを伸張して、多画面用に展開し、その多画面用データを圧縮してネットワークに送信することができるので、複数の映像データの送受信が行われるネットワークシステムにおいて、ネットワークを流れる映像データを少なくし、ネットワークの負荷を小さくするネットワークシステムを得る効果を奏する。
【図面の簡単な説明】
【００３０】
【図１】本発明に係る実施の形態のネットワーク送受信装置の構成図である。
【図２】本発明に係る実施の形態のネットワーク送受信装置を使用したネットワークシステムの構成図である。
【符号の説明】
【００３１】
１：Ａ／Ｄ変換部、２：メモリ部(入力映像データ格納用)、３：画像圧縮部、４：メモリ部(圧縮データ格納用)、５：ネットワークインターフェース部、６：画像伸張部、７：メモリ部(出力映像データ格納用)、８：Ｄ／Ａ変換部、９〜１６：カメラ、１７〜２４：モニタ、２５〜３２：ネットワーク送受信装置、３３：ネットワーク。
【図１】
2005101691.tif 000003
【図２】
2005101691.tif 000004